(57)【特許請求の範囲】
【請求項１】
穀稈を刈取搬送する刈取装置７と、該刈取装置７によって搬送される穀稈を受けて脱穀する脱穀装置８と、該脱穀装置８によって脱穀された穀粒を収容するグレンタンク９とを設けたコンバインにおいて、前記グレンタンク９の底部の底部オ−ガ１０によって排出される穀粒を上方へ移送する縦オ−ガ１１の上端部に排穀オ−ガ１２を設けるにあたり、該排穀オ−ガ１２を、前記縦オ−ガ１１の上に連結する基部筒１５と該基部筒１５の先端側外周に嵌合して伸縮できる筒１６とから構成し、前記基部筒１５内には外周面に螺旋１７を有した螺旋軸１８を軸装する一方、該基部筒１５の先端側外周に嵌合する筒１６内には、前記基部筒１５内の螺旋軸１８内に嵌挿して伸縮自在の角軸乃至スプライン軸からなる螺旋軸４を軸装して、該角軸乃至スプライン軸からなる螺旋軸４を筒１６と一体的に伸縮できるように構成すると共に、一定長さの螺旋ボス２を、前記角軸乃至スプライン軸からなる螺旋軸４の軸方向へは移動自在であるが回転方向へは一体的に回転するように複数嵌挿し、各螺旋ボス２の間には一定長さのばね３を介装し、各螺旋ボス２の外周には螺旋１を形成し、各螺旋ボス２の終端側の先端２４には、前記螺旋ボス２の外周に形成した螺旋１の延長面上に沿うように羽根板２６を延伸させて、該羽根板２６を前方の螺旋ボス２との間隔部に位置するばね３の外周部に突出させて螺旋１としての穀粒の送り力を維持させて、前記ばね３の張発力に抗する複数の螺旋ボス２間の間隔部の拡縮に拘らず穀粒の搬送力を維持するように構成すると共に、各螺旋ボス２間の間隔部を最小に縮めた状態において、各螺旋ボス２に設ける羽根板２６の先端部が隣接の螺旋ボス２のボス先端２４に接近乃至接続しうるように構成したことを特徴とするコンバインの排穀オ−ガ。
【発明の詳細な説明】
【０００１】
【発明の属する技術分野】
この発明は、コンバインの排穀オーガに関し、グレンタンクに収容された収穫穀粒を機外へ取出搬送するものである。
【０００２】
【従来の技術】
コンバインの排穀オーガを伸縮するために螺旋の一部を重合させるようにする形態がある。（特開昭６３ー２７９７１９号、実開平１ー１２１３４０号等）
【発明が解決しようとする課題】
しかしながら、このような構成では螺旋が二重に重合するものであるから、特殊な螺旋構成であることを要し、伸縮時の駆動抵抗が大きく円滑な伸縮作動が行われ難い。
【０００３】
【課題を解決するための手段】
この発明は、穀稈を刈取搬送する刈取装置７と、該刈取装置７によって搬送される穀稈を受けて脱穀する脱穀装置８と、該脱穀装置８によって脱穀された穀粒を収容するグレンタンク９とを設けたコンバインにおいて、前記グレンタンク９の底部の底部オ−ガ１０によって排出される穀粒を上方へ移送する縦オ−ガ１１の上端部に排穀オ−ガ１２を設けるにあたり、該排穀オ−ガ１２を、前記縦オ−ガ１１の上に連結する基部筒１５と該基部筒１５の先端側外周に嵌合して伸縮できる筒１６とから構成し、前記基部筒１５内には外周面に螺旋１７を有した螺旋軸１８を軸装する一方、該基部筒１５の先端側外周に嵌合する筒１６内には、前記基部筒１５内の螺旋軸１８内に嵌挿して伸縮自在の角軸乃至スプライン軸からなる螺旋軸４を軸装して、該角軸乃至スプライン軸からなる螺旋軸４を筒１６と一体的に伸縮できるように構成すると共に、一定長さの螺旋ボス２を、前記角軸乃至スプライン軸からなる螺旋軸４の軸方向へは移動自在であるが回転方向へは一体的に回転するように複数嵌挿し、各螺旋ボス２の間には一定長さのばね３を介装し、各螺旋ボス２の外周には螺旋１を形成し、各螺旋ボス２の終端側の先端２４には、前記螺旋ボス２の外周に形成した螺旋１の延長面上に沿うように羽根板２６を延伸させて、該羽根板２６を前方の螺旋ボス２との間隔部に位置するばね３の外周部に突出させて螺旋１としての穀粒の送り力を維持させて、前記ばね３の張発力に抗する複数の螺旋ボス２間の間隔部の拡縮に拘らず穀粒の搬送力を維持するように構成すると共に、各螺旋ボス２間の間隔部を最小に縮めた状態において、各螺旋ボス２に設ける羽根板２６の先端部が隣接の螺旋ボス２のボス先端２４に接近乃至接続しうるように構成したことを特徴とするコンバインの排穀オ−ガの構成とする。
【０００４】
排穀オーガを伸縮するときは、螺旋ボス２を軸装する筒１６と螺旋軸４とを共に軸方向へ伸縮移動することによって、この螺旋軸４の各螺旋ボス２の間隔がばね３の張圧力で又は張圧力に抗して拡縮されて、長さの調節乃至収納長さ等変更することができる。各螺旋ボス２間の間隔を長くした場合も、短かくした場合も、螺旋軸４を回転することによって穀粒移送を行わせることができる。
また、各螺旋ボス２間の間隔部を最小に縮めた状態で、該羽根板２６の先端部が隣接の螺旋ボス２の先端２４に接近乃至接続しうる。
【０００５】
【発明の効果】
螺旋軸４に軸装する各螺旋ボス２をばね３に抗して伸縮移送することによって、各螺旋ボス２間隔を各拡縮するものであるから、螺旋軸４及び螺旋ボス２の伸縮移動が円滑、迅速に行われ、構成も簡単化し、安価な構成とすることができる。しかも、各螺旋ボス２にはばね３の拡縮による間隔部を生じ、螺旋ボス２間の切れ目を生ずるが、各螺旋ボス２の先端部であるボス先端２４からこのばね３の位置する間隔部に羽根板２６が螺旋１の一部として延伸形成されるものであるから、この羽根板２６の移送力によって間隔部における穀粒の移送を助長して、排穀オーガ１２における円滑な排穀を行わせることができる。更に、各螺旋ボス２間の間隔部を最小に縮めた状態で、該羽根板２６の先端部が隣接の螺旋ボス２の先端２４に接近乃至接続しうるため、搬送を一層効果的に行わせるこができる。
【０００６】
【発明の実施の形態】
コンバインは、クローラ５を有する車台６上に、穀稈を刈取搬送する刈取装置７、この搬送される穀稈を受けて脱穀する脱穀装置８、脱穀された穀粒を収容するグレンタンク９、このグレンタンク９の底部の底部オーガ１０によって後方へ排出される穀粒を上方へ移送する縦オーガ１１、及びこの上端部に連接されて水平方向へ移送しうる排穀オーガ１２等を設ける。１３は操縦席である。
【０００７】
縦オーガ１１は旋回可能で、排穀オーガ１２の水平方向の位置を決定することができ、又、この上端部には排穀オーガ１２が伸縮シリンダ１４によって上下方向に角度変更することができる。縦オーガ１１、及び底部オーガ１０が螺旋を内装している。
該排穀オーガ１２は、縦オーガ１１の上に連結する基部筒１５と、この先端側外周に嵌合して伸縮できるズーム筒（筒）１６とを有し、これら基部筒１５内には外周面に螺旋１７を有した螺旋軸１８を軸装し、ズーム筒１６内には、該螺旋軸１８内に嵌挿して伸縮自在の角軸乃至スプライン軸からなる螺旋軸４を軸装し、該ズーム筒１６と一体的に伸縮できる。
【０００８】
この螺旋軸４に沿って、一定長さの螺旋ボス２を嵌挿して、螺旋軸４の方向へは移動自在であるが回転方向へは一体的に回転するように構成している。又、各螺旋ボス２の間には一定長さのばね３を介装している。各螺旋ボス２の外周には螺旋１を形成している。
各螺旋ボス２の終端側のボス先端２４には、前記螺旋１の延長面上に沿うように羽根板２６を延伸させて、前方の螺旋ボス２との間隔部に位置するばね３の外周部に突出させて、螺旋１としての穀粒の送り力を維持させる構成としている。この羽根板２６は、図４、図５のような平板面を形成したもので、螺旋１部の先端部に溶接等により一体的に取付けられる構成とするもよい。又、図６、図７のように羽根板２６を螺旋１と同曲面に形成するもよい。又、このように羽根板２６は、各螺旋ボス２の始端側のボス先端２４において、始端側へ向けて突出させるもよい。
【０００９】
このように、各螺旋ボス２の先端２４かばね３の在する間隔部に向けて羽根板２６を突出させて設けるものであるから、このばね３の張発力に抗する螺旋ボス２間の間隔部の拡縮に拘らず穀粒の搬送力が維持されて、円滑な排穀作用を行わせることができる。又、各螺旋ボス２間の間隔部を最小に縮めた状態で、該羽根板２６の先端部を隣接の螺旋ボス２のボス先端２４に接近乃至接続しうるように設定することによって、搬送力を一層効果的に行わせることができる。
【００１０】
１９はズーム筒１６先端の排出口、２０はズーム筒１６を基部筒１５に対して伸縮する螺杆で、モータＭ１の正逆回転によって駆動され、先端側をズーム筒１６側のブラケット２１に螺合させている。２３は軸受メタルで、基部筒５の先端部内に設けられて、螺旋軸１８の先端部を軸受けする。
図４、図５において、基部筒５の先端部の前後二箇所に若干径の大きいスライド筒体２５を設け、ズーム筒１６をこれらのスライド筒体２５の外周に亘って嵌挿して円滑に伸縮案内させる。前記軸受メタル２３はこの先端側のスライド筒体２５の内周に取付けている。
【００１１】
図８において、上例と異なる点は、最終端部の螺旋ボス２の一部を排出口１９に対向させるように、この排出口１９からの排穀作用を確実化して、排穀抵抗を小さくし、円滑な排穀を行わせることができる。
【図面の簡単な説明】
【図１】排穀オ−ガ部の側面図。
【図２】その作用を示す側面図。
【図３】コンバインの側面図。
【図４】その一部拡大側面図。
【図５】その一部拡大側面図、正面図。
【図６】その一部別実施例を示す側面図。
【図７】その作用を示す側面図。
【図８】一部別実施例を示す側面図。
【符号の説明】
１ 螺旋
２ 螺旋ボス
３ ばね
４ 螺旋軸
７ 刈取装置
８ 脱穀装置
９ グレンタンク
１０ 底部オ−ガ
１１ 縦オ−ガ
１２ 排穀オ−ガ
１５ 基部筒
１６ ズ−ム筒（筒）
１７ 螺旋
１８ 螺旋軸
２４ 先端
２６ 羽根板
【図１】
0003596070.tif 000002
【図２】
0003596070.tif 000003
【図３】
0003596070.tif 000004
【図４】
0003596070.tif 000005
【図５】
0003596070.tif 000006
【図６】
0003596070.tif 000007
【図７】
0003596070.tif 000008
【図８】
0003596070.tif 000009